(57)【要約】【課題】最新の機器の状態を速やかに表示する。【解決手段】管理対象となる複数のデバイス２からデバイス２に関する情報である機器情報を取得する情報取得部１１と、情報取得部１１により取得された機器情報を用いてデバイス２で発生したイベントに関するイベント情報を生成する情報生成部１２と、最新のデバイス２の状態を示す機器状態情報をデバイス２ごとに記憶する機器状態情報ＤＢ１５と、情報生成部１２により生成されたイベント情報を用いて機器状態情報ＤＢ１５に記憶される機器状態情報を更新する情報更新部１３と、情報更新部１３により更新された機器状態情報を用いて最新のデバイス２の状態を一覧表示する表示部１４と、を備える。【選択図】図１
2013186544.tif 000002
【特許請求の範囲】
【請求項１】
管理対象となる複数の機器から前記機器に関する情報である機器情報を取得する情報取得部と、
前記情報取得部により取得された前記機器情報を用いて前記機器で発生したイベントに関するイベント情報を生成する情報生成部と、
最新の前記機器の状態を示す機器状態情報を前記機器ごとに記憶する情報記憶部と、
前記情報生成部により生成された前記イベント情報を用いて前記情報記憶部により記憶される前記機器状態情報を更新する情報更新部と、
前記情報更新部により更新された前記機器状態情報を用いて最新の前記機器の状態を一覧表示する表示部と、
を備えることを特徴とする機器管理システム。
【請求項２】
前記情報取得部は、前記機器がシステムに接続またはシステムから切断されたことを示す着脱情報を、さらに取得し、
前記情報更新部は、前記情報取得部により取得された前記着脱情報が前記切断されたことを示す場合に、前記情報記憶部により記憶される前記機器状態情報を、前記機器が切断状態であることを示す内容に更新する、
ことを特徴とする請求項１記載の機器管理システム。
【請求項３】
前記表示部は、ユーザにより指定された条件に合致する前記機器状態情報を用いて最新の前記機器の状態を一覧表示する、ことを特徴とする請求項１または２記載の機器管理システム。
【請求項４】
前記表示部は、前記機器の状態に対応するアイコンを表示する、ことを特徴とする請求項１〜３のいずれか１項に記載の機器管理システム。
【請求項５】
管理対象となる複数の機器から前記機器に関する情報である機器情報を取得する情報取得ステップと、
前記情報取得ステップにおいて取得された前記機器情報を用いて前記機器で発生したイベントに関するイベント情報を生成する情報生成ステップと、
前記情報生成ステップにおいて生成された前記イベント情報を用いて、最新の前記機器の状態を示す機器状態情報を更新する情報更新ステップと、
前記情報更新ステップにおいて更新された前記機器状態情報を用いて最新の前記機器の状態を一覧表示する表示ステップと、
を含むことを特徴とする機器管理方法。
【発明の詳細な説明】
【技術分野】
【０００１】
本発明は、機器管理システムおよび機器管理方法に関する。
【背景技術】
【０００２】
生産プロセスを管理する現場では、プラント内に多数の機器（例えばセンサ機器やバルブポジショナ等のデバイス）を配置してプロセスを管理する。このようなプラントでは、運用時に各機器の状態を常時監視し、異常を発見したときには迅速に対処することが重要となる。下記特許文献１には、各機器の状態を示す機器情報を収集して格納部に蓄積し、その蓄積した機器情報に基づいて作成したレポートを出力する機器管理システムが開示されている。
【先行技術文献】
【特許文献】
【０００３】
【特許文献１】特開２０１１−２１５９１７号公報
【発明の概要】
【発明が解決しようとする課題】
【０００４】
特許文献１に記載の機器管理システムは、ユーザからレポートの作成指示を受け取った後に、そのレポートの作成に必要な機器情報を格納部から取得し、この機器情報を解析した後にレポートを作成している。したがって、レポートの作成指示を送ってからレポートを受け取るまでに時間を要してしまう。
【０００５】
本発明は、上述した従来技術による問題点を解消するためになされたものであり、最新の機器の状態を速やかに表示することができる機器管理システムおよび機器管理方法を提供することを目的とする。
【課題を解決するための手段】
【０００６】
本発明に係る機器管理システムは、管理対象となる複数の機器から前記機器に関する情報である機器情報を取得する情報取得部と、前記情報取得部により取得された前記機器情報を用いて前記機器で発生したイベントに関するイベント情報を生成する情報生成部と、最新の前記機器の状態を示す機器状態情報を前記機器ごとに記憶する情報記憶部と、前記情報生成部により生成された前記イベント情報を用いて前記情報記憶部により記憶される前記機器状態情報を更新する情報更新部と、前記情報更新部により更新された前記機器状態情報を用いて最新の前記機器の状態を一覧表示する表示部と、を備える。
【０００７】
また、本発明に係る機器管理方法は、管理対象となる複数の機器から前記機器に関する情報である機器情報を取得する情報取得ステップと、前記情報取得ステップにおいて取得された前記機器情報を用いて前記機器で発生したイベントに関するイベント情報を生成する情報生成ステップと、前記情報生成ステップにおいて生成された前記イベント情報を用いて、最新の前記機器の状態を示す機器状態情報を更新する情報更新ステップと、前記情報更新ステップにおいて更新された前記機器状態情報を用いて最新の前記機器の状態を一覧表示する表示ステップと、を含む。
【０００８】
かかる構成を採用することで、各機器から機器情報を取得するたびに、この取得した機器情報を用いて生成したイベント情報で機器状態情報を更新することができるため、機器状態情報を最新の状態で維持することが可能となる。また、この最新の状態で維持されている機器状態情報を用いて機器の状態を一覧表示することができるため、ユーザから一覧表示指示を受け取ったときには、最新の機器の状態を敏速に一覧表示して提示することが可能となる。
【０００９】
上記情報取得部は、前記機器がシステムに接続またはシステムから切断されたことを示す着脱情報を、さらに取得し、上記情報更新部は、前記情報取得部により取得された前記着脱情報が前記切断されたことを示す場合に、前記情報記憶部により記憶される前記機器状態情報を、前記機器が切断状態であることを示す内容に更新する、こととしてもよい。
【００１０】
これにより、機器がシステムから切断されていることを、迅速かつ確実に、ユーザに把握させることが可能となる。
【００１１】
上記表示部は、ユーザにより指定された条件に合致する前記機器状態情報を用いて最新の前記機器の状態を一覧表示する、こととしてもよい。
【００１２】
これにより、ユーザが確認を要する機器を条件指定すれば、その条件に合致する機器の状態のみを一覧表示させることが可能となる。
【００１３】
上記表示部は、前記機器の状態に対応するアイコンを表示する、こととしてもよい。これにより、ユーザによる機器状態の視認性を向上させることができる。
【発明の効果】
【００１４】
本発明によれば、最新の機器の状態を速やかに表示することができる機器管理システムおよび機器管理方法を提供することができる。
【図面の簡単な説明】
【００１５】
【図１】実施形態における機器管理システムの構成を例示する図である。
【図２】機器情報のデータ構成を例示する図である。
【図３】着脱情報のデータ構成を例示する図である。
【図４】イベント情報のデータ構成を例示する図である。
【図５】参照用テーブルのデータ構成を例示する図である。
【図６】参照用テーブルのデータ構成を例示する図である。
【図７】機器状態情報のデータ構成を例示する図である。
【図８】デバイス状態一覧を例示する図である。
【図９】参照用テーブルのデータ構成を例示する図である。
【図１０】実施形態における管理装置の動作を説明するためのフローチャートである。
【図１１】実施形態における管理装置の動作を説明するためのフローチャートである。
【発明を実施するための形態】
【００１６】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１７】
図１は、本発明の実施形態における機器管理システムの概略構成を示す図である。図１に示すように、機器管理システム１００は、管理装置１と、複数のデバイス２と、を備える。管理装置１とデバイス２は、ネットワークを介して接続されており、相互に通信可能となっている。
【００１８】
デバイス２は、プラント内に装備される各種の機器であり、ネットワークを介して双方向に通信する機能を有する。デバイス２としては、例えば、流量や圧力、温度等を発信する発信器、流量制御弁や圧力制御弁等のバルブの開度を変更・検出するバルブポジショナ、およびポンプやファン等を動作させるアクチュエータなどが該当する。
【００１９】
管理装置１は、管理対象となるデバイス２の状態を監視する装置であり、最新のデバイス２の状態を一覧表示する機能を有する。管理装置１は、物理的には、例えば、ＣＰＵ（図示省略）、記憶装置（図示省略）、および入出力インターフェース（図示省略）を備える。記憶装置は、例えば、後述する機器状態情報やイベント情報、着脱情報、機器情報、参照用テーブル等を記憶する。
【００２０】
図１に示すように、管理装置１は、機能的には、例えば、情報取得部１１と、情報生成部１２と、情報更新部１３と、表示部１４とを有する。
【００２１】
情報取得部１１は、機器情報および着脱情報を各デバイス２からそれぞれ取得する。機器情報は、デバイス２に関する情報である。機器情報は、記憶装置に格納される。図２に、機器情報の一例を示す。機器情報は、データ項目として、例えば各種の管理項目を有する。管理項目はデバイス２ごとに適宜設定される項目である。各管理項目はフラグ値を格納する。
【００２２】
着脱情報は、デバイス２がシステムに接続またはシステムから切断されたことを示す情報である。着脱情報は、図１に示す着脱情報ＤＢ１７に蓄積される。図３に、着脱情報の一例を示す。着脱情報は、データ項目として、例えば、着脱発生日時項目、機器アドレス項目、機器名称項目および着／脱項目を有する。
【００２３】
着脱情報の着脱発生日時項目は、対象デバイス２がシステムに接続またはシステムから切断された日時を格納する。機器アドレス項目は、対象デバイス２のアドレス情報を格納する。機器名称項目は、対象デバイス２の機器名称を格納する。着／脱項目は、対象デバイス２がシステムに接続されたのか、システムから切断されたのかを示す情報を格納する。
【００２４】
図１に示す情報生成部１２は、情報取得部１１により取得された機器情報を用いてイベント情報を生成する。イベント情報は、デバイス２で発生するイベントに関する情報である。イベント情報は、イベント情報ＤＢ１６に蓄積される。図４に、イベント情報の一例を示す。イベント情報は、データ項目として、例えば、発生日時項目、イベント番号項目、レベル項目、機器名称項目、発生／復帰項目およびメッセージ項目を有する。
【００２５】
イベント情報の発生日時項目は、イベントが発生した日時を格納する。イベント番号項目は、対象イベントを一意に特定する番号を格納する。レベル項目は、対象イベントの重要度を示すレベルを格納する。機器名称項目は、対象デバイス２の機器名称を格納する。発生／復帰項目は、対象イベントが、異常等が発見されたことを示すイベントであるのか、その状態から復帰したことを示すイベントであるのかを示す情報を格納する。メッセージ項目は、対象イベントに関するメッセージを格納する。
【００２６】
図１に示す情報生成部１２は、機器情報の管理項目のうち、フラグ値に“１”が格納されている管理項目に対応するイベント番号を、図５に示す参照用テーブルから取得し、イベント情報のイベント番号項目に格納する。この参照用テーブルは、参照情報ＤＢ１８に記憶されている。以下に具体的に説明する。
【００２７】
図２に示す機器情報の管理項目“Ａ／Ｄ”には“１”が格納されている。図５に示す参照用テーブルの管理項目“Ａ／Ｄ”に対応するイベント番号項目には“０ｘ０３Ｅ９”が格納されている。したがって、情報生成部１２は、図２の機器情報に基づいて、図４に示す１件目のイベント情報のイベント番号項目に“０ｘ０３Ｅ９”を格納する。
【００２８】
図１に示す情報生成部１２は、イベント情報のイベント番号項目に格納したイベント番号に対応するレベルおよびメッセージを、図６に示す参照用テーブルから取得し、イベント情報のレベル項目およびメッセージ項目に格納する。この参照用テーブルは、参照情報ＤＢ１８に記憶されている。以下に具体的に説明する。
【００２９】
図４に示す１件目のイベント情報のイベント番号項目には“０ｘ０３Ｅ９”が格納されている。図６に示す参照用テーブルのイベント番号項目“０ｘ０３Ｅ９”に対応するレベル番号項目には“１５”が格納され、メッセージ項目には“Ａ／Ｄ ＦＡＵＬＴ・・・”が格納されている。したがって、情報生成部１２は、図６の参照用テーブルに基づいて、図４に示す１件目のイベント情報のレベル番号項目に“１５”を格納し、メッセージ項目に“Ａ／Ｄ ＦＡＵＬＴ・・・”を格納する。
【００３０】
図１に示す情報更新部１３は、情報生成部１２により生成されたイベント情報と、情報取得部１１により取得された着脱情報とを用い、機器状態情報を登録または更新する。機器状態情報は、各デバイス２の状態を示す情報であり、各デバイス２の最新の情報を用いて管理項目単位に上書きされる。機器状態情報は、機器状態情報ＤＢ１５に記憶される。
【００３１】
図７に、機器状態情報の一例を示す。機器状態情報は、データ項目として、例えば、機器ＩＤ項目、機器名称項目、接続状態項目、レベル項目、メッセージ項目および詳細情報項目を有する。レベル項目、メッセージ項目および詳細情報項目は、各デバイス２の管理項目単位に設けられる。
【００３２】
機器状態情報の機器ＩＤ項目は、対象デバイス２を一意に特定する識別情報を格納する。機器名称項目は、対象デバイス２の機器名称を格納する。接続状態項目は、対象デバイス２のシステムへの接続状態を格納する。レベル項目は、対象イベントの重要度を示すレベルを格納する。メッセージ項目は、対象イベントに関するメッセージを格納する。詳細情報項目は、対象イベントの詳細な内容等を格納する。
【００３３】
図１に示す情報更新部１３は、機器状態情報の接続状態項目の内容を、最新の着脱情報の着／脱項目の内容に応じて書き換える。以下に具体的に説明する。最新の着脱情報の着／脱項目に、デバイス２がシステムに接続されたことを示す“着”が格納されている場合に、情報更新部１３は、機器状態情報の接続状態項目に“接続”を格納する。
【００３４】
一方、最新の着脱情報の着／脱項目に、デバイス２がシステムから切断されたことを示す“脱”が格納されている場合に、情報更新部１３は、機器状態情報の接続状態項目に“切断”を格納し、レベル項目、メッセージ項目および詳細情報項目をそれぞれクリアする。つまり、情報更新部１３は、着脱情報の内容が切断されたことを示す内容である場合に、対象デバイス２の機器状態情報を、デバイス２が切断状態であることを示す内容に更新する。
【００３５】
表示部１４は、情報更新部１３により更新された機器状態情報を用い、最新のデバイス２の状態を示すデバイス状態一覧を表示する。表示部１４は、ユーザによりフィルタ条件が指定されている場合には、そのフィルタ条件に合致する機器状態情報を用いてデバイス状態一覧を表示する。
【００３６】
図８に、デバイス状態一覧の一例を示す。デバイス状態一覧は、表示項目として、例えば、診断区分項目、機器名称項目、複数の管理項目を有する。診断区分項目は、診断区分のレベルに応じたアイコンを表示する。診断区分のレベルには、同一デバイス２の各管理項目に対応するレベルのうち、最も重要度の高いレベルが設定される。これにより、各デバイス２に発生したイベントのうち、その時点で最も重要度が高いイベントに対応するアイコンを、機器状態の診断結果として表示させることが可能となる。
【００３７】
機器名称項目は、対象デバイス２の機器名称を表示する。各管理項目は、各管理項目のレベルに応じたアイコンをそれぞれ表示する。図９に示すように、アイコンは、レベルごとに予め参照用テーブルに登録されている。この参照用テーブルは、参照情報ＤＢ１８に記憶されている。デバイス状態一覧に表示されている各アイコンをクリックすると、そのアイコンに対応するイベントのメッセージや詳細情報を閲覧することができる。
【００３８】
次に、実施形態における管理装置１の動作について説明する。図１０を参照して、機器状態情報を更新する際の動作について説明する。この動作は、デバイス２ごとに、所定の期間が経過するたびに繰り返し実行される。
【００３９】
最初に、情報取得部１１は、機器情報をデバイス２から取得する（ステップＳ１０１）。
【００４０】
続いて、情報生成部１２は、上記ステップＳ１０１で取得された機器情報を用いてイベント情報を生成する（ステップＳ１０２）。
【００４１】
続いて、情報更新部１３は、上記ステップＳ１０２で生成されたイベント情報を用いて機器状態情報を更新する（ステップＳ１０３）。そして、本動作を終了する。
【００４２】
図１１を参照して、デバイス状態一覧を表示する際の動作について説明する。
【００４３】
最初に、表示部１４は、ユーザにより一覧表示指示が入力されたか否かを判定する（ステップＳ２０１）。この判定がＹＥＳである場合（ステップＳ２０１；ＹＥＳ）に、表示部１４は、ユーザにより指定されたフィルタ条件に合致する機器状態情報を用いてデバイス状態一覧を表示する（ステップＳ２０２）。そして、処理を上述したステップＳ２０１に移行する。
【００４４】
上述してきたように、実施形態における管理装置１によれば、各デバイス２から機器情報を取得するたびに、この取得した機器情報を用いて生成したイベント情報で機器状態情報を更新することができるため、機器状態情報を最新の状態で維持することが可能となる。
【００４５】
また、実施形態における管理装置１によれば、最新の状態で維持されている機器状態情報を用いてデバイス状態一覧を表示することができるため、ユーザから一覧表示指示を受け取ったときには、最新のデバイス２の状態を敏速に一覧表示して提示することが可能となる。
【００４６】
また、実施形態における管理装置１によれば、デバイス２がシステムから切断されたことを示す着脱情報を取得した場合には、そのデバイス２の機器状態情報が、切断状態であることを示す内容に更新されるため、デバイス２がシステムから切断されていることを、迅速かつ確実に、ユーザに把握させることが可能となる。
【００４７】
また、実施形態における管理装置１によれば、ユーザにより指定された条件に合致する機器状態情報を用いてデバイス状態一覧を表示することができるため、ユーザが確認を要するデバイス２を条件指定すれば、その条件に合致するデバイス２の状態のみを表示させることが可能となる。
【００４８】
また、実施形態における管理装置１によれば、デバイス状態一覧を表示する際に、機器の状態に対応するアイコンを表示することができるため、ユーザによるデバイス状態の視認性を向上させることができる。
【００４９】
なお、上述した実施形態では、機器管理システム１００が一つの管理装置１を備える場合について説明しているが、管理装置の各機能を複数の装置に分散し、管理システムとして構成してもよい。例えば、情報取得部１１、情報生成部１２および情報更新部１３を有する装置と、表示部１４を有する装置と、機器状態情報ＤＢ１５、イベント情報ＤＢ１６および着脱情報ＤＢ１７を有する装置と、により管理システムを構成することとしてもよい。
【符号の説明】
【００５０】
１…管理装置
２…デバイス
１１…情報取得部
１２…情報生成部
１３…情報更新部
１４…表示部
１５…機器状態情報ＤＢ
１６…イベント情報ＤＢ
１７…着脱情報ＤＢ
１８…参照情報ＤＢ
【図１】
2013186544.tif 000003
【図２】
2013186544.tif 000004
【図３】
2013186544.tif 000005
【図４】
2013186544.tif 000006
【図５】
2013186544.tif 000007
【図６】
2013186544.tif 000008
【図７】
2013186544.tif 000009
【図８】
2013186544.tif 000010
【図９】
2013186544.tif 000011
【図１０】
2013186544.tif 000012
【図１１】
2013186544.tif 000013